(57)【要約】【課題】  バックル本体を動かしてベルト全体の長さを調節することで、細かいギザギザをスライドさせて微調整を行なうものがあるが、刃の部分が欠けるなどの耐久性が悪くまた鋭利である為使用において危険を伴う。【解決手段】  幅方向と長さ方向共に間隔をずらして穴を開けたベルトと、ベルトの穴に挿してベルトの長さを固定する幅方向の移動が可能なピンとピンを支持するバー部材を持つバックルと、を備えることを特徴とする。ピンは、付け根部分がバー部材にはまる環状部と、その環状部の内側に出っ張ったキーとを備え、バー部材は、ピンがバー部材の幅方向と回転方向に移動するための溝を備え、ピンとバー部材はピンのキーがバー部材の溝を自由に動けるような構造を備えることを特徴とする。【選択図】図２
2011190559.tif 000002
【特許請求の範囲】
【請求項１】
幅方向と長さ方向共に間隔をずらして穴を開けたベルトと、
ベルトの穴に挿してベルトの長さを固定する幅方向の移動が可能なピンとピンを支持するバー部材を持つバックルと、を備えることを特徴とする微調整可能ベルト。
【請求項２】
前記ピンは、付け根部分が前記バー部材にはまる環状部と、その環状部の内側に出っ張ったキーとを備え、
前記バー部材は、前記ピンがバー部材の幅方向と回転方向に移動するための溝を備え、
前記ピンと前記バー部材はピンのキーがバー部材の溝を自由に動けるような構造を備えることを特徴とする請求項１記載の微調整可能ベルト。
【発明の詳細な説明】
【技術分野】
【０００１】
本発明は、ズボンに巻くベルトを細かく固定することに関する技術分野である。
【背景技術】
【０００２】
ズボンに巻くベルトの中で、特に使われているベルトの穴にバックル部分のピンを差し込み、固定する。このベルトを使う人がベルトを固定する際に、大抵が同じ穴又はその前後の穴で固定される。
【０００３】
しかし、食後などで一時的に腹部周辺が大きくなり、この穴の位置を変える必要が出た時、穴の位置を、定位置から変えることで、ベルトがきつくなり腰に窮屈に感じたり、ゆるくなりズボンがずれやすくなります。
【０００４】
上記の欠点を解消するために、穴の間隔を短くすると、使用していくうちにベルトの穴同士が結合することが懸念され、長期的な使用が難しいという欠点がある。
【０００５】
そのために、バックルが二つの部品によって形成され、一つ目の部品には、ベルトの長さ方向に延びるギザギザの歯を形成するとともにベルトの穴に通すピンが取り付けられ、二つ目の部品には、前記ギザギザの歯に噛み合う突起が形成されていて、一つ目の部品を二つ目の部品に対してスライドさせて前記突起が前記ギザギザの歯に噛み合う位置を変えることで、ベルト全体の長さを調整することができるものが知られている（例えば、特許文献１，２）。
【先行技術文献】
【特許文献】
【０００６】
【特許文献１】特開２００１−０４６１１６号公報
【特許文献２】実登３０３７７３２号公報
【発明の概要】
【発明が解決しようとする課題】
【０００７】
しかし、上記特許文献では、ギザギザの歯が欠けるなどの耐久性が悪くまた鋭利である為使用において危険を伴う。
【課題を解決するための手段】
【０００８】
上記課題と解決するため、本発明は幅方向と長さ方向共に間隔をずらして穴を開けたベルトと、ベルトの穴に挿してベルトの長さを固定する幅方向の移動が可能なピンとピンを支持するバー部材を持つバックルと、を備えることを特徴とする微調整可能ベルトを提案する。
【０００９】
前記ピンは、付け根部分がバー部材にはまる環状部と、その環状部の内側に出っ張ったキーとを備え、前記バー部材は、ピンがバー部材の幅方向と回転方向に移動するための溝を備え、ピンとバー部材はピンのキーがバー部材の溝を自由に動けるような構造を備えることが好ましい。
【発明の効果】
【００１０】
本発明の微調整可能ベルトは、幅方向と長さ方向共に間隔をずらして穴を開けたベルトに、バックルのピンを移動させ、ベルトの穴ごとに入れることによって微調整を可能にするもので、安全且つ細かくベルトを固定でき、問題となっていた耐久性や鋭利である事からの危険性が解消される。
【図面の簡単な説明】
【００１１】
【図１】本発明の微調整可能ベルトの平面図である。
【図２】本発明の微調整可能ベルトのバックルの幅方向移動を示した拡大斜視図である。
【図３】本発明の微調整可能ベルトのバックルの回転方向移動方向を示した一部側面断面図である。
【図４】本発明の微調整可能ベルトのベルトをバックルに固定したときの拡大平面図である。
【発明を実施するための形態】
【００１２】
図１は、微調整可能ベルトの全体図で、ベルト１とバックル２から構成されている。微調整可能ベルトはベルト１とバックル２の連結の仕方によって、細かくベルトの長さを決定することができる。
【００１３】
図２に示すように、ピン３の付け根部分である環状部４にある突起物であるキー５(図３参照)がバー部材６のスライド溝７に合うようにはめることによってバー部材６の幅移動が可能になり、ピン３を幅方向移動させることによって、ベルトの幅方向と長さ方向共に間隔をずらした穴８，９，１０(図４参照)のどの穴に差し込むかを決定できる。ピン３はよく動く部分なので、材質が柔らかく変形の恐れのあるアルミニウム製ではなく、鉄製を使う。
【００１４】
図３に示すように、ピン３がバー部材６のベルトの穴８，９，１０の位置に合わせて作られたそれぞれの回転溝１１，１２，１３で回転移動できるようにはめこみ、ピン３を回転移動させる。ピン３を回転移動させて図２で決定したベルトの穴８，９，１０のいずれかに差し込む。バー部材６は放電加工の時間を短縮するためにアルミニウム製を使う。
【００１５】
図４は、ピン３をベルトの穴８，９，１０に通した状態を示しており、この時に窮屈感や締付感を感じたならばピン３を違う列の穴８，９，１０に通すことによって、ベルトの長さを細かく決定することで、安全且つ快適に使用することが出来る。
【産業上の利用可能性】
【００１６】
従来のバックルのピンを差し込むタイプのベルトよりも細かく設定できるので、一時的な腰部のふくらみなどにも的確に対応できる。
【符号の説明】
【００１７】
１  ベルト
２  バックル
３  ピン
４  環状部
５  キー
６  バー部材
７  スライド溝
８  ベルトの穴(上)
９  ベルトの穴(中)
１０  ベルトの穴(下)
１１  回転溝(上)
１２  回転溝(中)
１３  回転溝(下)
【図１】
2011190559.tif 000003
【図２】
2011190559.tif 000004
【図３】
2011190559.tif 000005
【図４】
2011190559.tif 000006
【手続補正書】
【提出日】平成22年8月6日(2010.8.6)
【手続補正１】
【補正対象書類名】特許請求の範囲
【補正対象項目名】全文
【補正方法】変更
【補正の内容】
【特許請求の範囲】
【請求項１】
幅方向と長さ方向共に穴と穴の間隔をずらして穴を開けたベルトと、
ベルトを固定するためのバックルと、を備え、
前記バックルは、前記穴に挿すためのピンと、該ピンを支持するバー部材を備え、
前記ピンは、付け根部分が前記バー部材にはまる環状部と、その環状部の内側に凸な形状のキーを備え、
前記バー部材は、前記キーがはまる溝を備え、
前記溝は、前記ピンをバー部材の幅方向に移動できるようにするスライド溝と、前記ベルトの穴の位置に合わせて前記ピンを回転移動できるようにする回転溝とを備えることを特徴とする微調整可能ベルト。
【手続補正２】
【補正対象書類名】明細書
【補正対象項目名】０００７
【補正方法】変更
【補正の内容】
【０００７】
上記課題と解決するため、本発明は、幅方向と長さ方向共に穴と穴の間隔をずらして穴を開けたベルトと、ベルトを固定するためのバックルと、を備え、前記バックルは、前記穴に挿すためのピンと、該ピンを支持するバー部材を備え、前記ピンは、付け根部分が前記バー部材にはまる環状部と、その環状部の内側に凸な形状のキーを備え、前記バー部材は、前記キーがはまる溝を備え、前記溝は、前記ピンをバー部材の幅方向に移動できるようにするスライド溝と、前記ベルトの穴の位置に合わせて前記ピンを回転移動できるようにする回転溝とを備えることを特徴とする微調整可能ベルトを提案する。
【手続補正３】
【補正対象書類名】明細書
【補正対象項目名】０００８
【補正方法】削除
【補正の内容】